(57)【要約】【課題】比較的簡単な構成で、ノイズの低減を図ることが可能な点灯装置を提供する。【解決手段】開口部２ａを備えた有底筒状であって点灯回路基板１を収納する導電性の筐体２と、電力を点灯回路基板１側へ供給する入力コネクタ３と、点灯回路基板１側からの電力を出力する出力コネクタ４と、開口部２ａを覆い筐体２に取り付けられる導電性の蓋部５と、筐体２側に蓋部５を挟んで固定させ蓋部５と筐体２とを電気的に接続する金具６とを備えた点灯装置１０であり、出力コネクタ４は、張力止め端子４ｂを備え、張力止め端子４ｂは、導電性であって張力止め端子４ｂの一端部４ｂａ側が点灯回路基板１のアース部と電気的に接続されており、蓋部５は、出力コネクタ４の一部を突出させる貫通孔５ａを貫設しており、張力止め端子４ｂの他端部４ｂｂ側と当接する当接部５ｂを有する。【選択図】図１
2014032812.tif 000002
【特許請求の範囲】
【請求項１】
外部電源からの電力を制御して光源部に電力を供給する点灯回路部を形成する点灯回路基板と、一端に開口部を備えた有底筒状であって内部に前記点灯回路基板を収納する導電性の筐体と、該筐体に設けられ前記外部電源からの電力を前記点灯回路基板側へ供給する入力コネクタと、前記筐体に設けられ前記点灯回路基板側からの電力を前記光源部側に出力する出力コネクタと、前記開口部を覆い前記筐体に取り付けられる導電性の蓋部と、前記筐体側に前記蓋部を挟んで固定させ前記蓋部と前記筐体とを電気的に接続する金具とを備えた点灯装置であって、
前記出力コネクタは、該出力コネクタのコネクタハウジングの外部に配置され前記出力コネクタからコネクト端子が引き抜かれる際に生ずる張力を抑制する張力止め端子を備えており、該張力止め端子は、導電性であって前記張力止め端子の一端部側が前記点灯回路基板のアース部と電気的に接続されており、前記蓋部は、前記出力コネクタの一部を外部に突出させる貫通孔を貫設しており、前記張力止め端子の他端部側と当接する当接部を有することを特徴とする点灯装置。
【請求項２】
前記当接部は、前記貫通孔に突出する前記蓋部の一部の折り曲げにより形成されており、該当接部が前記貫通孔と対向する前記張力止め端子に当接していることを特徴とする請求項１に記載の点灯装置。
【請求項３】
前記当接部は、前記貫通孔に突出する前記蓋部の一部の折り曲げにより形成されており、該当接部が前記コネクタハウジングと前記張力止め端子との間において前記張力止め端子に当接していることを特徴とする請求項１に記載の点灯装置。
【請求項４】
前記蓋部は、前記当接部の位置が前記筐体の前記内部側にあることを特徴とする請求項２または請求項３に記載の点灯装置。
【請求項５】
前記金具は、該金具の一部が外部の旗形端子と電気的に接続可能な接続端子であることを特徴とする請求項１ないし請求項４のいずれか１項に記載の点灯装置。
【請求項６】
前記蓋部は、該蓋部の前記一部が外部の旗形端子と電気的に接続可能な接続端子部であることを特徴とする請求項１ないし請求項４のいずれか１項に記載の点灯装置。
【請求項７】
前記張力止め端子は、前記点灯回路基板における前記アース部と前記筐体と前記蓋部とを電気的に接続させて同電位とすることを特徴とする請求項１ないし請求項６のいずれか１項に記載の点灯装置。
【発明の詳細な説明】
【技術分野】
【０００１】
本発明は、点灯装置に関する。
【背景技術】
【０００２】
従来から、車両の前照灯には、高輝度放電灯（ＨＩＤランプ）などの光源を点灯させる点灯装置が備えられている。
【０００３】
この種の点灯装置として、図１４の、回路基板１０３が収納された導電性のケース１０１と、ケース１０１の開口を塞ぐ導電性の蓋１０９と、蓋１０９をケース１０１側に固定する導電性のビス１０１ｃとを備えたものが知られている（例えば、特許文献１を参照）。
【０００４】
特許文献１の放電灯点灯装置である点灯装置では、回路基板１０３は、回路素子１０３ａを実装し、放電灯（図示していない）を点灯させる点灯回路を構成している。放電灯点灯装置は、点灯回路に入力電源を供給する入力コネクタ１０８と、点灯回路の出力電力を放電灯側に供給する出力コネクタ１０４とを備えている。入力コネクタ１０８は、回路基板１０３に入力コネクタ１０８の端子１０８ａが実装されている。出力コネクタ１０４は、回路基板１０３に出力コネクタ１０４の端子１０４ａが実装されている。蓋１０９には、コネクト端子たる出力コネクタ１０５および防水体１０６を挿通させるための挿通穴１０９ａが形成されている。
【０００５】
特許文献１の放電灯点灯装置では、電線１１０を介して、回路基板１０３と電気的に接続され、放電灯が取り付けられるソケット（図示していない）を備えている。電線１１０は、絶縁性を有する被覆で覆われており、被覆で覆われた複数の電線１１０をまとめて、導電性を有する円筒状のシールドメッシュ線１１１が覆っている。シールドメッシュ線１１１の端部には、導電性を有するＧＮＤ固定金具１１２が設けられている。ＧＮＤ固定金具１１２は、金具本体１１２ａと、金具本体１１２ａから延設された第１の延設部１１２ｂと、金具本体１１２ａから延設された第２の延設部１１２ｃとで構成されている。第１の延設部１１２ｂの端は、ビス１０１ｃにより、蓋１０９およびスペーサー１０１ｂを介して、ケース１０１のリブ１０１ａに固定されている。第２の延設部１１２ｃは、金具本体１１２ａからＬ字状に延設されており、蓋１０９に設けられた係止穴１０９ｂに挿通して係止される。特許文献１の放電灯点灯装置では、ＧＮＤ固定金具１１２とビス１０１ｃにより、シールドメッシュ線１１１が蓋１０９とケース１０１とに接地される。
【０００６】
なお、特許文献１の放電灯点灯装置は、ケース１０１内に封止剤１０７が充填されており、出力コネクタ１０４と回路基板１０３とを接続する端子１０４ａおよび回路素子１０３ａを封止している。防水体１０６は、防水体１０６の凹部１０６ａ内に、封止剤１０７で封止されていない出力コネクタ１０４の一部と、出力コネクタ１０５とを収納している。防水体１０６には、挿通穴１０６ｂが形成されており、挿通穴１０６ｂに挿通する電線１１０が出力コネクタ１０５と接続されている。
【先行技術文献】
【特許文献】
【０００７】
【特許文献１】特開２０１１−２０４４８２号公報
【発明の概要】
【発明が解決しようとする課題】
【０００８】
ところで、点灯装置では、光源の点灯に伴いノイズが発生する場合がある。ノイズの発生は、車両側の各種電子機器の作動に悪影響を及ぼす恐れもある。特許文献１の放電灯点灯装置では、シールドメッシュ線１１１と、蓋１０９やケース１０１側とを接地させて、放電灯側で生じたノイズの低減を図っていると考えられる。
【０００９】
しかしながら、点灯装置では、より簡単な構成で、ノイズの低減を図ることが可能なものが求められており、更なる改良が求められている。
【００１０】
本発明は、上記事由に鑑みて為されたものであり、その目的は、比較的簡単な構成で、ノイズの低減を図ることが可能な点灯装置を提供することにある。
【課題を解決するための手段】
【００１１】
本発明の点灯装置は、外部電源からの電力を制御して光源部に電力を供給する点灯回路部を形成する点灯回路基板と、一端に開口部を備えた有底筒状であって内部に上記点灯回路基板を収納する導電性の筐体と、該筐体に設けられ上記外部電源からの電力を上記点灯回路基板側へ供給する入力コネクタと、上記筐体に設けられ上記点灯回路基板側からの電力を上記光源部側に出力する出力コネクタと、上記開口部を覆い上記筐体に取り付けられる導電性の蓋部と、上記筐体側に上記蓋部を挟んで固定させ上記蓋部と上記筐体とを電気的に接続する金具とを備えた点灯装置であって、上記出力コネクタは、該出力コネクタのコネクタハウジングの外部に配置され上記出力コネクタからコネクト端子が引き抜かれる際に生ずる張力を抑制する張力止め端子を備えており、該張力止め端子は、導電性であって上記張力止め端子の一端部側が上記点灯回路基板のアース部と電気的に接続されており、上記蓋部は、上記出力コネクタの一部を外部に突出させる貫通孔を貫設しており、上記張力止め端子の他端部側と当接する当接部を有する。
【００１２】
この点灯装置において、上記当接部は、上記貫通孔に突出する上記蓋部の一部の折り曲げにより形成されており、該当接部が上記貫通孔と対向する上記張力止め端子に当接していることが好ましい。
【００１３】
この点灯装置において、上記当接部は、上記貫通孔に突出する上記蓋部の一部の折り曲げにより形成されており、該当接部が上記コネクタハウジングと上記張力止め端子との間において上記張力止め端子に当接していることが好ましい。
【００１４】
この点灯装置において、上記蓋部は、上記当接部の位置が上記筐体の上記内部側にあることが好ましい。
【００１５】
この点灯装置において、上記金具は、該金具の一部が外部の旗形端子と電気的に接続可能な接続端子であることが好ましい。
【００１６】
この点灯装置において、上記蓋部は、該蓋部の上記一部が外部の旗形端子と電気的に接続可能な接続端子部であることが好ましい。
【００１７】
この点灯装置において、上記張力止め端子は、上記点灯回路基板における上記アース部と上記筐体と上記蓋部とを電気的に接続させて同電位とすることが好ましい。
【発明の効果】
【００１８】
本発明の点灯装置は、張力止め端子の一端部側が点灯回路基板と電気的に接続され、蓋部が張力止め端子の他端部側と当接する当接部を有することにより、比較的簡単な構成で、ノイズの低減を図ることが可能になるという効果がある。
【図面の簡単な説明】
【００１９】
【図１】実施形態１の点灯装置を示す断面図である。
【図２】実施形態１の点灯装置を示す平面図である。
【図３】実施形態１の点灯装置を示す側面図である。
【図４】実施形態１の点灯装置における要部を示す平面図である。
【図５】実施形態１の点灯装置を示す概略回路図である。
【図６】実施形態１の点灯装置を用いた灯具の断面説明図である。
【図７】実施形態１の別の点灯装置を示す断面図である。
【図８】実施形態１の他の点灯装置における要部を示す部分断面図である。
【図９】実施形態２の点灯装置を示し、（ａ）は部分平面図、（ｂ）は部分断面図である。
【図１０】実施形態２の別の点灯装置を示す部分断面図である。
【図１１】実施形態３の点灯装置を示す部分断面図である。
【図１２】実施形態３の別の点灯装置を示す部分断面図である。
【図１３】実施形態３の他の点灯装置を示す部分断面図である。
【図１４】従来の放電灯点灯装置を示す断面図である。
【発明を実施するための形態】
【００２０】
（実施形態１）
以下、本実施形態の点灯装置１０を図１ないし図８に基づいて説明する。なお、図１ないし図８において、同一の構成要素には、同一の符号を付している。
【００２１】
本実施形態の点灯装置１０は、図１ないし図３に示すように、外部電源Ｅ（図５を参照）からの電力を制御して光源部１２（図５を参照）に電力を供給する点灯回路部を形成する点灯回路基板１を備えている。本実施形態の点灯装置１０は、一端に開口部２ａを備えた有底筒状であって内部に点灯回路基板１を収納する導電性の筐体２を備えている。点灯装置１０は、筐体２に設けられ外部電源Ｅからの電力を点灯回路基板１側へ供給する入力コネクタ３と、筐体２に設けられ点灯回路基板１側からの電力を光源部１２側に出力する出力コネクタ４とを備えている。点灯装置１０は、開口部２ａを覆い筐体２に取り付けられる導電性の蓋部５と、筐体２側に蓋部５を挟んで固定させ蓋部５と筐体２とを電気的に接続する金具６とを備えている。
【００２２】
本実施形態の点灯装置１０では、出力コネクタ４は、出力コネクタ４のコネクタハウジング４ａの外部に配置され出力コネクタ４からコネクト端子１３（図６を参照）が引き抜かれる際に生ずる張力を抑制する張力止め端子４ｂを備えている。張力止め端子４ｂは、導電性であって張力止め端子４ｂの一端部４ｂａ側が点灯回路基板１のアース部１ｂ（図５を参照）と電気的に接続されている。蓋部５は、出力コネクタ４の一部を外部に突出させる貫通孔５ａを貫設しており、張力止め端子４ｂの他端部４ｂｂ側と当接する当接部５ｂを有している。
【００２３】
これにより本実施形態の点灯装置１０は、比較的簡単な構成で、ノイズの低減を図ることが可能となる。
【００２４】
より具体的には、本実施形態の点灯装置１０は、例えば、車両（図示していない）の前照灯に用いられるものであって、放電灯Ｌｏ（図６を参照）を光源部１２とし、車載用バッテリである外部電源Ｅを用いて点灯可能に構成している。
【００２５】
点灯装置１０は、平板状の点灯回路基板１を備えており、点灯回路基板１には、放電灯Ｌｏを点灯させる点灯回路部を構成する複数種の回路素子１ａが実装されている。複数種の回路素子１ａは、点灯回路基板１の配線パターン（図示していない）により電気的に接続させている。点灯装置１０は、有底円筒状の筐体２の内部に点灯回路基板１を収納している。筐体２は、導電性を有するアルミダイキャストにより形成されている。点灯回路基板１は、筐体２の内底面２ｃａ側に設けたスペーサ２ｆ上に配置している。点灯回路基板１は、取付螺子２ｅによりスペーサ２ｆを介して、筐体２側に取り付けられている。
【００２６】
筐体２は、筐体２の高さ方向（図１の紙面の左右方向）における外周壁２ｂｂの中央部に外周壁２ｂｂから外方へ突出するフランジ部２ｂを備えている。フランジ部２ｂは、筐体２に複数個（ここでは、３個）設けられており、各フランジ部２ｂには、通孔部２ｂａが貫設されている（図２を参照）。点灯装置１０は、図示していないが、フランジ部２ｂの通孔部２ｂａに螺子を挿通して、車両側に設けられた螺子孔と螺子合いさせることにより、車両側に固定させることができる。
【００２７】
点灯装置１０は、筐体２に設けられ外部電源Ｅからの直流電力を点灯回路基板１側へ供給する入力コネクタ３を備えている。入力コネクタ３は、入力コネクタ３の外形が角筒形状のものを用いている。本実施形態の点灯装置１０では、入力コネクタ３は、外部電源Ｅと電気的に接続させたコネクト端子部（図示していない）と係合可能な雄型のコネクタを構成している。入力コネクタ３には、上記コネクト端子部と係合する係合突起３ａが突出している。入力コネクタ３は、筐体２における外周壁２ｂｂに貫設された挿通孔部（図示していない）に入力コネクタ３の一部を挿通している。入力コネクタ３は、筐体２の上記挿通孔部の回りに設けられた螺子孔に螺子１７を螺子合いして筐体２に保持されている。入力コネクタ３は、筐体２の内部に突出するＬ字状の端子３ｃを点灯回路基板１に設けた上記配線パターンと半田などにより電気的に接続させている。
【００２８】
点灯装置１０は、筐体２に設けられ点灯回路基板１側からの電力を光源部１２側に出力する出力コネクタ４を備えている。出力コネクタ４は、出力コネクタ４の外形が角筒形状のものを用いている。本実施形態の点灯装置１０では、出力コネクタ４は、コネクト端子１３と嵌合可能な雌型のコネクタを構成している。出力コネクタ４には、コネクト端子１３の係合突起１３ａと係合する係合孔４ｅ（図６を参照）を備えている。
【００２９】
出力コネクタ４は、平面視において、枠状のコネクタハウジング４ａの一端から延出した延出部４ｄを備えている（図４を参照）。延出部４ｄには、貫通孔部（図示していない）が貫設されている。出力コネクタ４は、上記貫通孔部に挿通した固定螺子１６により、点灯回路基板１を挟んで筐体２の内底面２ｃａ側に固定されている。出力コネクタ４は、枠状のコネクタハウジング４ａの内部に雄型のコネクト端子１３の先端部が挿入され、出力コネクタ４の嵌合部４ａａにおいて長尺状の接触端子４ｃがコネクト端子１３側と電気的に接続される。また、出力コネクタ４は、コネクタハウジング４ａから突出する突出部４ｆを備えている。突出部４ｆには、出力コネクタ４からコネクト端子１３が引き抜かれる際に生ずる張力を抑制する長尺状の張力止め端子４ｂが固定されている。
【００３０】
本実施形態の点灯装置１０では、出力コネクタ４は、長尺状の張力止め端子４ｂや長尺状の接触端子４ｃを鉄入り銅で形成させている。また、出力コネクタ４は、コネクタハウジング４ａ、延出部４ｄや突出部４ｆを絶縁性の樹脂により形成させている。出力コネクタ４は、樹脂による一体成形により張力止め端子４ｂや接触端子４ｃを枠状のコネクタハウジング４ａの内外に備えた構成とすることができる。
【００３１】
張力止め端子４ｂは、導電性であって張力止め端子４ｂの一端部４ｂａ側が点灯回路基板１の上記配線パターンにおける電源グランドたるアース部１ｂと電気的に接続させている。なお、アース部１ｂとは、電流が流入しても電流が流出しても相対的な電気的状態が変わらないと見做せる導体であって、点灯回路基板１に設けた上記配線パターンにより構成させることができる。出力コネクタ４は、長尺状の張力止め端子４ｂの一端部４ｂａ側が出力コネクタ４の長手方向に沿って突起部４ｆから突出している。出力コネクタ４は、半田などにより張力止め端子４ｃの一端部４ｂａ側を点灯回路基板１の上記配線パターンと電気的に接続させればよい。同様に、出力コネクタ４は、長尺状の接触端子４ｃの一端部４ｃａ側が出力コネクタ４の長手方向に沿ってコネクタハウジング４ａから突出している。出力コネクタ４は、半田などにより接触端子４ｃの一端部４ｃａ側が点灯回路基板１の上記配線パターンと電気的に接続されることで点灯回路基板１に実装されている。
【００３２】
点灯装置１０は、平面視において、円形状の開口部２ａを覆い開口部２ａより若干小さい円形の蓋部５を備えている。蓋部５は、平板状であって、金属（例えば、アルミニウム、銅やステンレスなど）により形成させており導電性を備えている。蓋部５は、蓋部５の中央部に出力コネクタ４の一部を外部に突出させる貫通孔５ａを貫設している。蓋部５は、導電性を有する金属（例えば、アルミニウム、銅やステンレスなど）で形成された金具６で筐体２側に固定されている。蓋部５には、金属螺子６ｄが挿通する挿通孔（図示していない）が形成されている。蓋部５は、金具６の本体部６ａとスペーサ２ｄとに挟まれ、金属螺子６ｄにより、筐体２の内底面２ｃａから立設するリブ２ｃの螺子穴（図示していない）に螺子合いされる。蓋部５は、金属螺子６ｄにより金具６を介して、筐体２側に取り付け可能としている。言い換えれば、金具６は、筐体２側に蓋部５を挟んで固定させ蓋部５と筐体２とを電気的に接続する。なお、蓋部５には、金具６の位置を合わせ金属螺子６ｄが収容できるように、筐体２の内部側に窪んだ段差部５ｄ（図２を参照）を備えている。
【００３３】
蓋部５は、張力止め端子４ｂの他端部４ｂｂ側と当接する当接部５ｂを有している。張力止め端子４ｂは、点灯回路基板１から入力コネクタ３を介して、車載用バッテリである外部電極Ｅのグランド側と電気的に接続可能としている。また、張力止め端子４ｂは、蓋部５の当接部５ｂにより、蓋部５と電気的に接続されている。
【００３４】
本実施形態の点灯装置１０における金具６は、金具６の一部が外部の旗形端子１１（図６を参照）と電気的に接続可能な矩形平板状の接続端子６ｃを構成している。接続端子６ｃは、旗形端子１１との当接面に貫設孔６ｃａを形成させている。接続端子６ｃは、貫設孔６ｃａが旗形端子１１に設けられた凸部（図示していない）と係合することにより、旗形端子１１が接続端子６ｃから抜けることを抑制させることが可能としている。
【００３５】
なお、本実施形態の点灯装置１０では、図６に示すように、一端側にコネクト端子１３を備え、他端側にソケット１５を備えた接続ケーブル１８により光源部１２と電気的に接続させている。接続ケーブル１８は、接続ケーブル１８の一端側のコネクト端子１３が点灯回路基板１側と電気的および機械的に接続している。また、接続ケーブル１８は、接続ケーブル１８の他端側のソケット１５が光源部１２たる放電灯Ｌｏ側と着脱自在とし、放電灯Ｌｏと電気的および機械的に接続している。点灯装置１０では、接続ケーブル１８を用いて、光源部１２側と点灯回路基板１とを電気的に接続させている。接続ケーブル１８は、絶縁性を有する被覆で電線が覆われたものである。接続ケーブル１８は、被覆で覆われた複数の電線がまとめて、金属からなる導電性のシールドメッシュ部１４で覆われている。シールドメッシュ部１４の端部には、シールドメッシュ部１４と電気的に接続された電線１９が設けられている。電線１９は、電線１９の端部に電線１９と電気的に接続された旗形端子１１が設けられている。旗形端子１１は、電線１９と接続され旗形端子１１の挿抜方向と電線１９の上記の端部とが直交するように配置している。
【００３６】
本実施形態の点灯装置１０では、金具６に設けた接続端子６ｃを利用して、シールドメッシュ部１４に接続された旗形端子１１を接続させることで、図１４に示す放電灯点灯装置と比較して、電気的接点数の削減によるインピーダンスの低下を図ることが可能となる。
【００３７】
本実施形態の点灯装置１０における蓋部５は、蓋部５と電気的に接続された金具６の接続端子６ｃが旗形端子１１と嵌合できる。本実施形態の点灯装置１０は、張力止め端子４ｂが点灯回路基板１と入力コネクタ３とを介して、外部電源Ｅのグランド側と電気的に接続されている。また、張力止め端子４ｂは、蓋部５と電気的に接続されている。蓋部５は、シールドメッシュ部１４と接続された旗形端子１１と電気的に接続されている。本実施形態の点灯装置１０では、張力止め端子４ｂを点灯回路基板１におけるアース部１ｂと蓋部５との電気的接続に利用することにより、放電灯Ｌｏや点灯回路部で発生したノイズを低減することが可能となる。
【００３８】
すなわち、本実施形態の点灯装置１０は、出力コネクタ４の張力止め端子４ｂを利用して、蓋部５や点灯回路基板１のアース部１ｂと電気的に接続させることで出力コネクタ４周辺における構造の簡素化を図ることが可能となる。点灯装置１０は、車両側とアース接続を行い放電灯Ｌｏや点灯回路部から発生するノイズの抑制を行うことができるため、車両側における各種の電子機器の作動に悪影響を及ぼすことを低減させ、出力コネクタ４周辺の構成を簡素化することが可能となる。
【００３９】
本実施形態の点灯装置１０は、出力コネクタ４のコネクタハウジング４ａの外に配置された張力止め端子４ｂに蓋部５の一部を曲げ内側から接触し、電気的接続を行っている。本実施形態の点灯装置１０の張力止め端子４ｂは、点灯回路基板１に接続されており、点灯回路基板１は入力コネクタ３を介し車両側とアース接続をしている。
【００４０】
なお、本実施形態の点灯装置１０は、図６に示すように、点灯装置１０と電気的に接続された放電灯Ｌｏを、放電灯Ｌｏの前面に透光性の窓部２２を備えた灯箱２１内に収容して灯具を構成することができる。灯具は、灯箱２１内に放電灯Ｌｏの光を反射する反射鏡２１ａを備えている。灯具は、灯箱の開口部２１ｂの周部に車両側と気密封止するためのシールド材２３を備えている。
【００４１】
以下、本実施形態の点灯装置１０の各構成について詳述する。
【００４２】
点灯回路基板１は、外部電源Ｅからの電力を制御して光源部１２に電力を供給する点灯回路部が形成可能なものである。点灯回路基板１は、絶縁性のセラミック基板（例えば、アルミナセラミック基板、窒化アルミニウム基板など）の一表面に、金属材料（例えば、Ａｕなど）を用いた配線パターンが形成されたものを用いることができる。なお、点灯回路基板１は、セラミック基板に限られず、配線パターンが形成されたガラスエポキシ樹脂基板を用いてもよい。また、点灯回路基板１は、金属板の表面に絶縁層（例えば、ガラス結晶や金属酸化物など）を介して配線パターンが形成された金属ベース基板を用いてもよい。点灯回路基板１は、筐体２に収納可能なものであり、光源部１２を点灯させる点灯回路部の少なくとも一部を構成する回路素子１ａが実装できればよい。点灯回路基板１は、例えば、筐体２の外形形状と相似形で筐体２よりも小さな形状にしてもよいし、筐体２に収納できる限り筐体２の外形形状と別の形状でもよい。点灯回路基板１は、平面視が円形状、楕円形状や多角形状のものを用いることができる。点灯回路基板１は、１枚だけに限られず、複数枚の点灯回路基板１を備えてもよい。
【００４３】
点灯回路基板１に形成される点灯回路部は、図示していないが、例えば、ＤＣ−ＤＣコンバータ部と、出力平滑回路部と、ＤＣ−ＡＣコンバータ部と、イグナイタ部と、制御回路部とで構成することができる。上記ＤＣ−ＤＣコンバータ部は、入力フィルタと昇降圧型フライバックコンバータとを備え、入力電圧を放電灯Ｌｏの安定点灯に適したランプ電圧まで昇圧させることができるものであればよい。上記出力平滑回路部は、上記ＤＣ−ＤＣコンバータ部の出力電圧を平滑して、上記ＤＣ−ＡＣコンバータ部に出力可能なものである。上記ＤＣ−ＡＣコンバータ部は、フルブリッジ型のインバータを備え、上記出力平滑回路部から出力される直流電圧を、略矩形波電圧に交流変換して、上記イグナイタ部に出力可能なものであればよい。なお、上記ＤＣ−ＡＣコンバータ部は、フルブリッジ型のインバータだけに限られず、ハーフブリッジ型のインバータを用いてもよい。上記イグナイタ部は、放電灯Ｌｏを起動させるために、放電ギャップを用いて高電圧パルス電圧を発生させることができるものであればよい。
【００４４】
上記制御回路部は、上記ＤＣ−ＤＣコンバータ部の出力電流を放電灯Ｌｏの電流として検出する放電灯電流検出部と、上記ＤＣ−ＤＣコンバータ部の出力電圧を放電灯Ｌｏの電圧として検出する放電灯電圧検出部とを備えている。また、上記制御回路部は、上記放電灯電流検出部と上記放電灯電圧検出部の検出結果から、目標となる電力との差を演算して、第１制御部に出力する電力演算部と、入力電圧を監視して上記電力演算部に出力する電源電圧監視部と、上記電力演算部の出力に基づいて上記ＤＣ−ＤＣコンバータ部の昇降型フライバックコンバータのスイッチング素子を制御する第１制御部と、上記電力演算部の出力に基づいて上記ＤＣ−ＡＣコンバータ部におけるフルブリッジ型のインバータのスイッチング素子を制御する第２制御部とを備えている。上記制御回路部は、例えば、マイクロコンピュータにより構成することができる。
【００４５】
また、上記電力演算部は、上記放電灯電圧検出部の検出結果から、放電灯Ｌｏの点灯状態を監視しており、入力電圧や放電灯Ｌｏに異常があった場合は、第１制御部および第２制御部を停止させる。
【００４６】
なお、点灯装置１０は、光源部１２として放電灯Ｌｏを用いる代わりに、発光ダイオードを点灯させる点灯回路部を備えたものでもよい。半導体発光素子である発光ダイオードは、直流電源で直接点灯させることが可能である。発光ダイオードを光源部１２とする点灯装置１０では、例えば、放電灯Ｌｏを点灯させる点灯装置１０の点灯回路部の構成から上記ＤＣ−ＡＣコンバータ部および上記イグナイタ部を除いた構成とすればよい。すなわち、発光ダイオードを光源部１２に用いた点灯回路部では、例えば、車載用バッテリである直流電源の外部電源Ｅから供給される直流電圧を、所定の直流電圧に変換するＤＣ−ＤＣコンバータを備えた構成とすることができる。また、点灯回路部は、上記ＤＣ−ＤＣコンバータから光源部１２へ供給する電力をオンオフ制御するスイッチング素子を備える。さらに、点灯回路部は、上記ＤＣ−ＤＣコンバータおよびスイッチング素子を制御する制御回路を備える。点灯回路部は、制御回路の制御信号に基づいて、適宜の電流を光源部１２へ供給させればよい。
【００４７】
筐体２は、一端に開口部２ａを備えた有底筒状であって内部に点灯回路基板１を収納可能なものである。筐体２は、筐体２の外形形状が有底円筒状や有底角筒状などのものを用いることができる。筐体２は、筐体２の材料として、導体である金属（例えば、アルミニウムやステンレスなど）を用いることができる。筐体２は、筐体２の材料として、金属を用いることで、点灯回路部の発熱を外部に放熱させたり、点灯回路部の駆動に伴うノイズを抑制することが可能となる。具体的には、筐体２は、アルミダイキャストにより形成させることができる。筐体２は、アルミダイキャストにより形成されたものだけに限られず、金属板（例えば、アルミニウム板やステンレス板など）の押圧加工などにより形成したものでもよい。
【００４８】
入力コネクタ３は、筐体２に設けられ外部電源Ｅからの電力を点灯回路基板１側へ供給可能なものである。入力コネクタ３は、筐体２自体に固定してもよいし、点灯回路基板１に固定してもよい。また、入力コネクタ３は、上記コネクト端子部と接続され上記コネクト端子部から導出する電線を介して外部電源Ｅと電気的に接続可能としている。入力コネクタ３は、入力コネクタ３の端子３ｃを点灯回路基板１と電気的に接続させて、外部電源Ｅからの電力を点灯回路基板１に入力可能としている。また、入力コネクタ３は、放電灯Ｌｏや点灯回路部で生じるノイズを上記コネクト端子部を介して、車両側とアース接続させることができるように構成している。入力コネクタ３は、入力コネクタ３の端子３ｃを点灯回路基板１の端子孔（図示していない）に挿通し、半田を用いて上記端子孔周りの上記配線パターンと電気的に接続している。入力コネクタ３は、外部電源Ｅと電気的に接続された上記コネクト端子部が入力コネクタ３に電気的かつ機械的に接続されることによって、点灯回路基板１側に給電することができる。入力コネクタ３は、雄型のコネクタだけに限られず、雌型のコネクタを用いてもよい。また、入力コネクタ３は、筐体２の外周壁２ｂｂから外部に入力コネクタ３を突出する方向に設けるとともに、出力コネクタ４を筐体２の内底面２ｃａ側から外部に突出するように配置するものだけに限られない。すなわち、点灯装置１０は、入力コネクタ３の突出方向と出力コネクタ４の突出方向とを垂直方向に沿って配置させたものだけに限られず、入力コネクタ３の突出方向と出力コネクタ４の突出方向とは互いに平行方向に沿って配置させたものでもよい。したがって、本実施形態の点灯装置１０は、例えば、図７に示すように、筐体２の内底面２ｃａ側に収納した点灯回路基板１から入力コネクタ３と出力コネクタ４とが互いに平行方向に突出するように配置させたものでもよい。図７に示す点灯装置１０では、入力コネクタ３の上記コネクト端子部との嵌合部が出力コネクタ４のコネクト端子１３との嵌合部４ａａと同一面側に配置している。
【００４９】
出力コネクタ４は、筐体２に設けられ点灯回路基板１側からの電力を光源部１２側に出力可能なものである。出力コネクタ４は、出力コネクタ４の接触端子４ｃが半田などにより点灯回路基板１の上記配線パターンと電気的に接続されている。出力コネクタ４は、出力コネクタ４と互いに電気的かつ機械的に接続するコネクト端子１３が着脱可能に接続される。なお、コネクト端子１３は、図６に示すように、接続ケーブル１８の一端側が接続されている。接続ケーブル１８の他端側は、放電灯Ｌｏが取り付けられるソケット１５が接続されている。本実施形態の点灯装置１０では、点灯回路部の一部を構成する上記イグナイタ部がソケット１５に設けられており、上記イグナイタ部と点灯回路基板１側に形成された上記ＤＣ−ＡＣコンバータ部とは、出力コネクタ４、コネクト端子１３および接続ケーブル１８を介して電気的に接続されている。
【００５０】
出力コネクタ４は、出力コネクタ４のコネクタハウジング４ａの外部に配置され出力コネクタ４からコネクト端子１３が引き抜かれる際に生ずる張力を抑制する張力止め端子４ｂを備えている。張力止め端子４ｂは、導電性であって張力止め端子４ｂの一端部４ｂａ側が点灯回路基板１のアース部１ｂと電気的に接続可能なものである。張力止め端子４ｂは、外形が、例えば、円柱状や長尺状の金属（例えば、鉄入り銅など）を用いて構成することができる。また、張力止め端子４ｂは、点灯回路基板１におけるアース部１ｂと筐体２と蓋部５とを電気的に接続させて同電位としてもよい。張力止め端子４ｂは、点灯回路基板１に設けた上記端子孔に一端部４ｂａ側を貫通させ、上記端子孔周りの上記配線パターンと半田により接続することで機械的に固定し電気的に接続させることができる。張力止め端子４ｂは、出力コネクタ４のコネクト端子１３との挿脱方向に対する機械的強度を高めるため、平面視において、コネクタハウジング４ａを介して延出部４ｄと反対側であることが好ましい。
【００５１】
蓋部５は、有底筒状の筐体２における開口部２ａを覆い筐体２に取り付け可能なものである。蓋部５は、導電性を有する金属（例えば、アルミニウム、銅やステンレスなど）で平板状に形成することができる。点灯装置１０は、導電性の蓋部５と、導電性の筐体２とで点灯装置１０の内部から外部に電磁場が流れることを制限する電磁シールドを構成可能としている。蓋部５は、出力コネクタ４の一部を外部に突出させる貫通孔５ａを貫設している。貫通孔５ａの形状は、例えば、突出させる出力コネクタ４の外形形状よりも若干大きな形状とすることができる。貫通孔５ａは、平板状の金属を打ち抜き加工することで形成することができる。また、蓋部５は、張力止め端子４ｂの他端部４ｂｂ側と当接する当接部５ｂを有している。
【００５２】
当接部５ｂは、貫通孔５ａに突出する蓋部５の一部の折り曲げにより形成することができる。当接部５は、図１に示すように、蓋部５の一部を筐体２の内部側に折り曲げることにより蓋部５の一表面５ｓａ側を張力止め端子４ｂと当接させることができる。また、当接部５は、図８に示すように、蓋部５の一部を筐体２側の内側に折り曲げた後、折り曲げた一部を再び外側に折り曲げて蓋部５の他表面５ｓｂ側を張力止め端子４ｂと当接させてもよい。当接部５は、金属製の蓋部２の折り曲げ加工により、張力止め端子４ｂと弾接可能としている。本実施形態の点灯装置１０の蓋部５は、当接部５ｂは、貫通孔５ａと対向する張力止め端子４ｂに当接している。また、蓋部５は、当接部５ｂの位置が筐体２の内部側としている。
【００５３】
金具６は、筐体２側に蓋部５を挟んで固定させ、蓋部５と筐体２とを電気的に接続可能なものである。金具６は、例えば、金属板をＬ字状に折り曲げ加工して形成しており、Ｌ字状の一端側を金具本体６ａとし、金具本体６ａに貫通孔（図示していない）を設けている。点灯装置１０は、金属螺子６ｄを金具本体６ａの貫通孔に挿通させ、筐体２側に蓋部５を挟んで螺子合いすることにより蓋部５と筐体２とを固定させることができる。金属螺子６ｄは、筐体２の内底面２ｃａ側から突出するリブ２ｃに設けられた螺子孔に螺子合いされている。点灯装置１０は、蓋部５と筐体２のリブ２ｃとの間にスペーサ２ｄを配置して、筐体２の内底面２ｃａと蓋体５との距離を調整することができる。また、金具６は、金具本体６ａとは反対の他端側を折り曲げ外部の旗形端子１１と電気的に接続可能な接続端子６ｃを構成することができる。金具６は、金属板を用いたものだけに限られず、例えば、金属板を用いることなく金属螺子６ｄだけを用いたものでもよい。
【００５４】
（実施形態２）
図９に示す本実施形態の点灯装置１０は、図１および図２に示した実施形態１と比較して、張力止め端子４ｂと当接する当接部５ｂの形状が主として相違する。なお、実施形態１と同様の構成要素には、同一の符号を付して説明を適宜省略する。
【００５５】
本実施形態の点灯装置１０では、図９に示すように、当接部５ｂは、貫通孔５ａに突出する蓋部５の一部の折り曲げにより形成されており、当接部５ｂがコネクタハウジング４ａと張力止め端子４ｂとの間において張力止め端子４ｂに当接している。蓋部５は、張力止め端子４ｂと当接する当接部５ｂの当接位置を筐体２の内底面２ｃａから筐体２全体の高さよりも筐体２の内部側としている。すなわち、蓋部５は、当接部５ｂの位置が筐体２の内部側としている。点灯装置１０は、当接部５ｂの位置を筐体２の内部側とすることにより、当接部５ｂの位置を筐体２の外部側に設けた点灯装置と比較して、当接部５ｂに外力が加わることを抑制することが可能となる。本実施形態の点灯装置１０は、当接部５がコネクタハウジング４ａと張力止め端子４ｂとの間で挟持されており、実施形態１の点灯装置１０に比べ、張力止め端子４ｂと当接部５ｂとの接触強度を増すことも可能となる。なお、図９に示す点灯装置１０では、蓋部５の蓋部５の他表面５ｓｂ側を張力止め端子４ｂと当接させる当接部５ｂとしている。
【００５６】
また、本実施形態の点灯装置１０では、図１０に示すように、当接部５ｂがコネクタハウジング４ａと張力止め端子４ｂとの間において張力止め端子４ｂに当接するものでもよい。図１０に示す点灯装置１０では、蓋部５の一部を筐体２の内部側に折り曲げることにより、蓋部５の一表面５ｓａ側を張力止め端子４ｂと当接させる当接部５ｂとしている。
【００５７】
（実施形態３）
図１１ないし図１３に示す本実施形態の点灯装置１０は、図１に示す実施形態１と略同一であり旗形端子１１を接続可能な接続端子６ｃを金具６に設ける代わりに、蓋部５の一部に外部の旗形端子１１と接続可能な接続端子部５ｃを設けた点が相違する。なお、実施形態１と同様の構成要素には、同一の符号を付して説明を適宜省略する。
【００５８】
本実施形態の点灯装置１０では、蓋部５は、蓋部５の一部を外部の旗形端子１１と電気的に接続可能な接続端子部５ｃとしている。接続端子部５ｃは、貫通孔５ａの打ち抜き加工による形成時に、貫通孔５ａを狭めるように突出する当接部５ｂと一体として形成することができる。
【００５９】
図１１に示す本実施形態の点灯装置１０の蓋部５では、当接部５ｂの位置が筐体２の内部側にあり、当接部５ｂが貫通孔５ａに突出する蓋部５の一部の折り曲げにより形成され、当接部５ｂが貫通孔５ａと対向する張力止め端子４ｂに当接している。すなわち、当接部５ｂは、貫通孔５ａに突出する蓋部５の一部の折り曲げにより形成されており、当接部５ｂが貫通孔５ａと対向する張力止め端子４ｂに当接している。蓋部５は、蓋部５の一部の先端部位が外部の旗形端子１１と電気的に接続可能な接続端子部５ｃとすることで、接続端子部５ｃを比較的簡単に形成することができる。なお、接続端子部５ｃは、蓋部５と一体として形成するものだけに限られず、別途に形成させた接続端子部５ｃを蓋部５に接合して形成するものでもよい。
【００６０】
同様に、図１２に示す本実施形態の点灯装置１０では、当接部５ｂが、貫通孔５ａに突出する蓋部５の一部の折り曲げにより形成されており、当接部５ｂが貫通孔５ａと対向する張力止め端子４ｂに当接している。当接部５ｂは、貫通孔５ａに突出する蓋部５の一部の折り曲げにより形成されており、平板状の当接部５ｂが貫通孔５ａと対向する長尺状の張力止め端子４ｂに当接して面接触させている。図１２に示す本実施形態の点灯装置１０では、出力コネクタ４の突出方向（図１２の紙面の上下方向）において、張力止め端子４ｂと接続端子部５ｃとが重ならず平行な位置に配置している。接続端子部５ｃは、旗形端子１１との当接面に貫設孔５ｃａを形成させている。接続端子部５ｃの貫設孔５ｃａは、旗形端子１１に設ける凸部（図示していない）と係合させ旗形端子１１が抜けることを抑制させることが可能となる。
【００６１】
図１３に示す本実施形態の点灯装置１０では、当接部５ｂは、貫通孔５ａに突出する蓋部５の一部の折り曲げにより形成されており、当接部５ｂがコネクタハウジング４ａと張力止め端子４ｂとの間において張力止め端子４ｂと当接している。また、蓋部５は、当接部５ｂの位置が筐体２の内部側にある。蓋部５は、蓋部５の一部が外部の旗形端子１１と電気的に接続可能な接続端子部５ｃを構成している。図１３に示す本実施形態の点灯装置１０では、出力コネクタ４の突出方向（図１３の紙面の上下方向）において、張力止め端子４ｂと接続端子部５ｃとが重なる位置に配置している。
【符号の説明】
【００６２】
Ｅ  外部電源
１  点灯回路基板
１ｂ  アース部
２  筐体
２ａ  開口部
３  入力コネクタ
４  出力コネクタ
４ａ  コネクタハウジング
４ｂ  張力止め端子
４ｂａ  一端部
４ｂｂ  他端部
５  蓋部
５ａ  貫通孔
５ｂ  当接部
５ｃ  接続端子部
６  金具
６ｃ  接続端子
１０  点灯装置
１１  旗形端子
１２  光源部
１３  コネクト端子
【図１】
2014032812.tif 000003
【図２】
2014032812.tif 000004
【図３】
2014032812.tif 000005
【図４】
2014032812.tif 000006
【図５】
2014032812.tif 000007
【図６】
2014032812.tif 000008
【図７】
2014032812.tif 000009
【図８】
2014032812.tif 000010
【図９】
2014032812.tif 000011
【図１０】
2014032812.tif 000012
【図１１】
2014032812.tif 000013
【図１２】
2014032812.tif 000014
【図１３】
2014032812.tif 000015
【図１４】
2014032812.tif 000016